(57)【特許請求の範囲】
【請求項１】
飲料容器を立設状態に保持するべく当該飲料容器の中間部を外囲する周壁部を設けられた容器収容部を有し、
前記周壁部の少なくとも一部に弧状凹部を設けると共に、前記飲料容器の側面を保持するべく前記弧状凹部の凹設部分を閉塞して直線状端縁を形成するための板状弾性体を設け、かつ前記板状弾性体の前記端縁の中央部から前記端縁に略直交する向きに切り込んだスリットを設けたことを特徴とする車両用飲料容器ホルダ。
【請求項２】
前記板状弾性体が、前記直線状端縁を前記飲料容器の側面に接離させる方向にスライド自在に設けられていることを特徴とする車両用飲料容器ホルダ。
【発明の詳細な説明】
【０００１】
【発明の属する技術分野】
本発明は、缶や紙コップなどを車室内に置くための車両用飲料容器ホルダに関するものである。
【０００２】
【従来の技術】
従来、自動車の車室内で缶ジュースなどを飲む際に飲みかけの缶を置いておくための飲料容器ホルダにあっては、種々の場所に設けられ、また種々の構造のものがある。また、缶や紙コップにあっては種々の大きさものがあり、大きさの違いに対応し得る構造が望ましい。
【０００３】
そのような飲料容器ホルダにおいて、センターコンソールに設けた凹部の開口面に沿って摺動自在なスライド部材を設け、このスライド部材の位置を調節することにより、飲料容器の外径寸法に関わりなく、種々の大きさの飲料容器を確実に保持することができるように構成されたものが、実公平３−３１６２１号公報に開示されている。また、例えば実公平６−４９４７８号公報に開示されているように、インストルメンタルパネルに選択的に引き出し・収納可能に設けた板状ホルダに円形の開口部を設け、紙コップを開口部に差し込んだ状態で保持すると共に、ゴム製の板状体を開口部に一部臨ませるように取り付け、径の小さい紙コップに対応し得るように板状体の端縁に小径の弧状凹設部を設けたものがある。
【０００４】
【発明が解決しようとする課題】
しかしながら、上記構造の各ホルダにあっては、種々の大きさの円形状の容器には対応し得るが、紙パック容器などに見られる矩形容器には対応していないという問題がある。
【０００５】
【課題を解決するための手段】
このような課題を解決して、種々の大きさの円形容器のみならず矩形容器にも対応し得る車両用飲料容器ホルダを実現するために、本発明に於いては、飲料容器を立設状態に保持するべく当該飲料容器の中間部を外囲する周壁部を設けられた容器収容部を有し、前記周壁部の少なくとも一部に弧状凹部を設けると共に、前記飲料容器の側面を保持するべく前記弧状凹部の凹設部分を閉塞して直線状端縁を形成するための板状弾性体を設け、かつ前記板状弾性体の前記端縁の中央部から前記端縁に略直交する向きに切り込んだスリットを設けたものとした。特に、前記板状弾性体が、前記直線状端縁を前記飲料容器の側面に接離させる方向にスライド自在に設けられていると良い。
【０００６】
【発明の実施の形態】
以下に添付の図面に示された具体例に基づいて本発明の実施の形態について詳細に説明する。
【０００７】
図１には、本発明が適用された車両用飲料容器ホルダ１の使用状態が示されている。この飲料容器ホルダ１は、図１に示されるように自動車のセンターコンソール２に取り付けられて使用され、図２に示されるように、水平な底面を有して上面を開放された有底矩形箱状をなすケーシング３と、ケーシング３の長手方向に沿う対向側壁の上端部に互いに対向して設けられた一対のガイド溝４に両端部を支持されて図の矢印Ａに示される向きにスライドし得るスライダ５とからなっている。
【０００８】
スライダ５は、合成樹脂材により図３に示されるように矩形平板状に形成されている。スライダ５の上面には、図の矢印Ａに示される向きにスライドさせる際に把持するための取っ手５ａが、スライド方向に直交する向きに全長に渡って延在するように一体成形されている。ケーシング３とスライダ５とにより容器収容部が構成され、そのケーシング３の周壁部とスライダ５の端縁部とにより、飲料容器の中間部を外囲する周壁部が形成される。
【０００９】
スライダ５の上記スライド方向に対応する前後方向各端縁部には、それぞれ前後の各スライド方向に向けて凹設された各弧状凹部６・７が形成されている。そしてスライダ５の下面には、各弧状凹部６・７を閉塞する横長の各板状弾性体８・９が取り付けられている。板状弾性体８・９は、エラストマ材からなり、長手方向に沿う一方の端縁の近傍に設けられた取り付け孔に、スライダ５の下面に垂設された係止ピン５ｂを挿通しかつ止め輪１０にて抜け止めされて固定されている。
【００１０】
上記板状弾性体８・９には、スライダ５に取り付けられた状態にて弧状凹部６・７を覆う部分であって、そのスライド方向端縁の中央部から端縁に直交する方向であるスライド方向に沿って切り込んだスリット１１が形成されている。すなわち、スリット１１は、弧状凹部６・７の中央部にてスライド方向に沿って位置している。
【００１１】
なお、スライダ５の各ガイド溝４に対峙する左右の各端面には、各ガイド溝４に受容される左右の各ガイド片１２がそれぞれ突設されている。また、各ガイド片１２には、ガイド溝４の壁面に弾発的に摺接する弧状弾性片１２ａが形成されている。この弧状弾性片１２ａによりスライダ５の上下方向のがたが抑えられるため、スライド操作を容易にかつ確実に行うことができる。
【００１２】
このようにして構成された飲料容器ホルダ１にあっては、図２の想像線に示されるように円筒形状の缶１３を置く場合には、ケーシング３のスライダ５にて分けられたいずれか一方の所に缶１３を立てた状態に置き、スライダ５を缶１３側にスライドさせる。すると、缶１３の外周面に当接する板状弾性体８がスリット１１を境に左右に折り曲げられることから、缶１３を側方から弾発的に保持することができる。従って、径の異なる缶に対しても板状弾性体８が好適に変形し得ることから、種々の大きさの缶や紙コップに対しても好適に対応し、各容器の側面を弾発付勢して保持し得る。
【００１３】
また、図２に示されるように本スライダ５にあっては、板状弾性体８・９を取り付けた状態で、スライド方向に臨む前端縁及び後端縁をスライダ５と板状弾性体８・９とにより直線状端縁として形成しており、円形の缶に押し付けていない自然状態では前後端縁が直線状になっている。従って、矩形の紙パック製飲料容器を置く場合は、前後端縁をそのまま紙パックの側面に押し当てることで、紙パックを保持することができる。
【００１４】
本発明にあっては、図４に示されるように別の形態の車両用飲料容器ホルダにも適用し得る。図４のホルダは、インストルメンタルパネルに取り付けられる扁平なケーシング２１と、ケーシング２１にスライド自在に出没可能に支持された板状のホルダ部２２とからなる。
【００１５】
ホルダ部２２には、２つの円形状周壁部を形成する開口２３が板厚方向に貫通して設けられており、弧状凹部としての円形開口２３の一部を閉塞するように、板状弾性体２４がホルダ部２２の裏面に前記ホルダ構造と同様に取り付けられている。その板状弾性体２４の円形開口２３に臨む部分の端縁は前記と同様に直線状に形成されており、その端縁の中央部から端縁に直交する方向であるホルダ部２２のスライド方向に沿って切り込んだスリット２５が形成されている。
【００１６】
このようにして構成されたホルダを使用するには、紙コップ２６を図に示されるように円形開口２３に差し込んで、紙コップ２６の外周面の中間部を円形開口２３の内周縁にて係止して、紙コップ２６を立設状態に保持する。また、本ホルダにあっては、円形開口２３の内径よりも小径の紙コップを差し込んだ場合には、板状弾性体２４の端縁部と円形開口２３の対向内縁との間にその小径紙コップを挟むように保持し得る。この時、板状弾性体２４にスリット２５が形成されていることから、紙コップの半径方向外向き方向に容易にたわみ得るため、種々の径違いの紙コップを保持し得る。
【００１７】
なお、ホルダ部２２の裏面側に所定の間隔をあけて位置する底部支持板を例えばリンク機構を介して設けることにより、軸線方向について同一径の飲料缶であっても、その下面を支持しかつ外周面を円形開口２３及び板状弾性体２４の端縁部により支持して保持することができる。さらに、矩形の紙パック製飲料容器に対しても、板状弾性体２４の端縁を前記具体例と同様に紙パックの側面に押し当てることで、矩形容器形状の紙パックを容易に保持することができる。
【００１８】
【発明の効果】
このように本発明によれば、飲料容器の外周面を支持する板状弾性体が容易に弾性変形し得るため缶径の大きさの違いに対応し得ると共に、板状弾性体の端縁により矩形容器の側面をも支持することができるため、１つのホルダで種々の形状及び大きさの飲料容器を保持することができる。
【図面の簡単な説明】
【図１】本発明が適用された乗用車の運転席回りの斜視図。
【図２】本発明による飲料容器ホルダの要部斜視図。
【図３】本発明による飲料容器ホルダの要部分解組立斜視図。
【図４】別の飲料容器ホルダを示す斜視図。
【符号の説明】
１  飲料容器ホルダ
２  センターコンソール
３  容器収容部
４  ガイド溝
５  スライダ
５ａ  取っ手
５ｂ  係止ピン
６・７  弧状凹部
８・９  板状弾性体
１０  止め輪
１１  スリット
１２  ガイド片
１２ａ  弧状弾性片
１３  缶
２１  ケーシング
２２  ホルダ部
２３  開口
２４  板状弾性体
２５  スリット
２６  紙コップ
【図１】
0003579523.tif 000002
【図２】
0003579523.tif 000003
【図３】
0003579523.tif 000004
【図４】
0003579523.tif 000005